(57)【要約】【課題】  画像の画質の低下を防止する感光材料処理装置を提供する。【解決手段】  本発明の感光材料処理装置は、長尺状の感光材料シート１６を支持する支持機構９０Ｌ、９０Ｒを有し、支持機構９０Ｌ、９０Ｒに支持された状態で搬送しつつ感光材料シート１６の画像形成領域に処理液２０−１を塗布して処理を行う感光材料処理装置であって、感光材料シート１６の２つの幅方向端部を搬送可能に挟持して支持する支持機構９０Ｌ、９０Ｒと、支持機構９０Ｌ、９０Ｒに支持されている感光材料シート１６の画像形成領域を有する表面と対向する裏面に当接することにより、支持機構９０Ｌ、９０Ｒと協働して感光材料シート１６を表面側に幅方向に凸に湾曲させた姿勢で案内するガイド７４とを有する。【選択図】図４
2006072077.tif 000002
【特許請求の範囲】
【請求項１】
長尺状の感光材料シートを支持する支持機構を有し、支持機構に支持された状態で搬送しつつ感光材料シートの画像形成領域に処理液を塗布して処理を行う感光材料処理装置であって、
感光材料シートの２つの幅方向端部を搬送可能に挟持して支持する支持機構と、
支持機構に支持されている感光材料シートの画像形成領域を有する表面と対向する裏面に当接することにより、支持機構と協働して感光材料シートを表面側に幅方向に凸に湾曲させた姿勢で案内するガイドとを有することを特徴とする感光材料処理装置。
【請求項２】
ガイドが感光材料シートに向かって凸に感光材料シートの幅方向に湾曲するとともに感光材料シートの長尺方向に伸びている湾曲面を有し、
湾曲面が感光材料シートの裏面と当接することを特徴とする請求項１に記載の感光材料処理装置。
【請求項３】
支持機構が、感光材料シートの２つの幅方向端部を挟持するローラ対から構成されることを特徴とする請求項１または２のいずれかに記載の感光材料処理装置。
【請求項４】
ガイドが感光材料シートを加熱する手段であることを特徴とする請求項１〜３のいずれか一に記載の感光材料処理装置。
【発明の詳細な説明】
【技術分野】
【０００１】
本発明は、長尺状の感光材料シートの画像形成領域に処理液を塗布して処理を行う感光材料処理装置に関するものであり、特に、感光材料シートのガイド機構に関する。
【背景技術】
【０００２】
近年、長尺状の感光材料シートを、現像液、漂白液、定着液、安定化液（まとめて、「処理液」と称する。）それぞれを充満した複数の処理液槽に順番に浸漬して処理を行う従来の感光材料処理装置の代わりに、感光材料シートの長尺方向（以下、「搬送方向」と称する。）に搬送中の感光材料シートの画像形成領域上に最小限の処理液それぞれを塗布（または噴霧）して処理を行う直接塗布式と呼ばれる感光材料処理装置が提案されている（例えば、特許文献１参照。）。これにより、処理液の量が少なくてすみ、処理液槽が不要になる。また、感光材料シートは、従来の感光材料処理装置のように複数の感光材料シートが過去に浸漬された、使い古された処理液を充満した処理液槽に浸漬されるのではなく、常に新しい処理液が塗布されて処理されるため、処理後の感光材料シートから得られる画像（例えば、印刷された画像）の画質も安定する。
【特許文献１】特開昭６２―９２９５７号公報
【発明の開示】
【発明が解決しようとする課題】
【０００３】
上述の直接塗布式の感光材料処理装置において、長尺状の感光材料シートは、処理液を塗布された状態で水平姿勢に支持されて搬送される。処理液は、搬送されている感光材料シートから流れ落ちないような粘性を有する。図７は、処理液３１０が塗布されている感光材料シート３１２の搬送方向と垂直な断面図である。処理液３１０の厚さ（処理液３１０の表面３１４から感光材料シート３１２の表面３１６までの距離）は、処理液３１０に働く表面張力により、感光材料シート３１２の幅方向３１８の中央部では厚く、中央部から離れて幅方向３１８の両端部では薄い。このため、幅方向３１８の中央部では、処理液３１０の処理反応（処理を行う化学的反応）は適切に起こるの対し、幅方向３１８の両端部では、厚さが薄いために処理液３１０が蒸発しやすく、蒸発した結果、両端部の処理液３１０の濃度が上昇し、処理液が高濃度となったために適切な処理反応が起こらないおそれがある。幅方向３１８の位置による処理反応の違い（処理ムラ）により、感光材料シート３１２から得られる画像に、幅方向３１８に変化するムラが生じる。
【０００４】
そこで、本発明は、感光材料シートの幅方向の処理ムラの発生を防止することにより、幅方向にムラのない画像を提供することができる感光材料処理装置を提供することを目的とする。
【課題を解決するための手段】
【０００５】
本発明の感光材料処理装置は、長尺状の感光材料シートを支持する支持機構を有し、支持機構に支持された状態で搬送しつつ感光材料シートの画像形成領域に処理液を塗布して処理を行う感光材料処理装置であって、感光材料シートの２つの幅方向端部を搬送可能に挟持して支持する支持機構と、支持機構に支持されている感光材料シートの画像形成領域を有する表面と対向する裏面に当接することにより、支持機構と協働して感光材料シートを表面側に幅方向に凸に湾曲させた姿勢で案内するガイドとを有することを特徴とする。
【０００６】
ガイドによって表面側に幅方向に凸に湾曲された感光材料シートに処理液が塗布されると、処理液の厚さが感光材料シート幅方向に亘って略均一になる。
【０００７】
一実施形態において、ガイドは、感光材料シートに向かって凸に感光材料シートの幅方向に湾曲するとともに感光材料シートの長尺方向に伸びている湾曲面を有し、湾曲面が感光材料シートの裏面と当接する。
【０００８】
支持機構が、感光材料シートの２つの幅方向端部を挟持するローラ対から構成されてもよい。
【０００９】
一実施形態において、ガイドが感光材料シートを加熱してもよい。
【００１０】
ガイドが処理液を塗布された感光材料シートに当接して直接的に加熱することにより、処理液の処理反応を促進することができる。
【発明の効果】
【００１１】
本発明によれば、ガイドによって感光材料シートが表面側に幅方向に凸に湾曲した姿勢の状態で案内されるため、感光材料シートの表面上の処理液の厚さが幅方向に亘って略均一になる。これにより、感光材料シートの幅方向の処理ムラの発生が防止され、ムラのない画像を提供することができる。
【発明を実施するための最良の形態】
【００１２】
以下、説明される感光材料処理装置は、長尺状の感光材料シートを規定の搬送経路に沿って搬送し、搬送中の感光材料シートに現像などの処理を施すことを主に行う装置である。
【００１３】
図１は、本発明に係る感光材料処理装置の一実施形態の構成を概略的に示したものである。感光材料処理装置１０は、概略、暗室空間１２に配置された、規定の搬送経路１４を搬送されている長尺状の感光材料シート１６の画像形成領域を有する面（以下、「表面」と称する。）１８に複数の処理液２０−１〜２０−３を塗布して現像などの処理を行う処理部２２と、処理された感光材料シート１６から画像データを取得する画像読み取り部２４と、感光材料シート１６を規定の搬送路１４上で支持しつつ搬送する搬送部２６とから構成される。長尺状の感光材料シート１６は、例えば、パーフォレーション２８を有する写真フィルムである（領域Ａを感光材料シート１６の表面１８側から見た図２参照。）。以下、感光材料シート１６の具体例である写真フィルムを用いて、感光材料処理装置１０を説明する。
【００１４】
処理部２２の具体的な構成について説明する前に、処理部２２で写真フィルム１６に行われる処理内容について説明する。処理部２２で行われる処理には、現像処理、漂白処理、定着処理の少なくとも１つが含まれ、少なくとも現像処理が含まれる。これらの処理は、これらの処理の化学的反応を生じさせる処理液２０−１〜２０−３（化学的反応を生じさせる液体）を、写真フィルム１６の表面１８の画像形成領域４０（画像形成領域４０を含む幅方向中央部４２）に塗布することで行われる（図２参照。）。なお、漂白処理と定着処理は、同時に行われることがあり、その場合、漂白定着処理または脱銀処理と言われる。以下、これらの処理について簡単に説明する。
【００１５】
現像処理を行う前の写真フィルム１６（ここでは、銀を触媒として色素を発色させるネガカラー式の写真フィルムを言う。）、すなわち、画像形成領域４０に露光潜像が形成されている写真フィルム１６において、露光部分の乳剤層にはハロゲン化銀が変質した金属銀が含まれ、未露光部分の乳剤層にはハロゲン化銀が含まれている。現像処理が行われると、未露光部分の色素は発色せずに、露光部分の色素が発色する。
【００１６】
漂白処理と定着処理、または脱銀処理（漂白処理と定着処理とを同時に行う処理）が行われると、現像処理された写真フィルム１６から金属銀とハロゲン化銀が取り除かれる。  
【００１７】
現像処理を除く他の処理は、必ずしも必要ではない。例えば、後述の画像読み取り部２４が、透過式であって高精度に画像を読み取れる場合、言い換えると、高出力の走査レーザ装置と高感度の撮像素子とを有するスキャナである場合、走査レーザ装置が出力したレーザ光の写真フィルムの透過を妨害するハロゲン化銀や金属銀を除去する必要がなくなるため、漂白処理と定着処理は省略される。また、これらの処理は、ハロゲン化銀や金属銀が存在することによって生じたレーザ光の写真フィルム透過不足（撮像素子に到達したレーザ光の強度不足）による画像への悪影響を除去するように、写真フィルムから得られた画像を画像処理装置によって補正する場合も省略される。
【００１８】
漂白処理と定着処理は、状況に応じて（例えば、写真フィルムから得られた画像データを画像処理装置によって補正する場合）、漂白液と定着液それぞれを写真フィルムに塗布する処理液塗布装置（後述の処理液塗布ユニット）の使用を中断することによって省略されても良い。
【００１９】
以下、処理部２２で行われる複数の処理を、処理内容で区別することなく示す。
【００２０】
処理部２２は、複数の処理をそれぞれ行うために、複数の処理液２０−１〜２０−３（例えば、現像液や定着液など）をそれぞれ塗布する複数の処理液塗布ユニット（部分的に図示せず）５０−１〜５０−３を有する。なお、図中、処理液塗布ユニットは、３台示されているがこれに限定される訳ではなく、少なくとも現像液を塗布するために１台以上あればよい。また、複数の処理液ユニットはそれぞれ、必ずしも異なる処理液を塗布するわけでなく、例えば、上流側の処理液塗布ユニットが写真フィルムの表面に塗布した処理液を補充するために、下流側のユニットで同一の処理液を塗布しても良い。
【００２１】
複数の処理液塗布ユニット５０−１〜５０−３は、写真フィルム１６の表面１８にそれぞれの処理液２０−１〜２０−３を塗布するノズル５２−１〜５２−３、処理液を貯蔵している処理液貯蔵タンク（図示せず）、処理液貯蔵タンクからノズル５２−１〜５２−３に処理液２０−１〜２０−３を案内するための配管５４−１〜５４−３、処理液貯蔵タンクからノズル５２−１〜５２−３に処理液２０−１〜２０−３を送出するポンプ（図示せず）とを有する。複数の処理液塗布ユニット５０−１〜５０−３それぞれは、搬送経路１４に従って搬送されている写真フィルム１６の表面１８の幅方向中央部４２に、規定量の処理液２０−１〜２０−３を塗布する。
【００２２】
画像読み取り部２４は、処理部２２で処理された写真フィルム１６の画像形成領域４０に形成された現像画像から透過式のスキャナ６０によって画像データを読み取る。透過式スキャナ６０は、写真フィルム１６幅方向に走査されるレーザ光６２を出力する走査レーザ装置６４と、走査レーザ装置６４と写真フィルム１６を介して対向配置されている、写真フィルム１６を透過したレーザ光６２の強度を検出するＣＣＤなどの撮像素子６６と、撮像素子６６から画像データを取得する画像データ取得部６８とを有する。画像データ取得部６８が取得した画像データは、例えば、画像データ取得部６８と接続されている、感光材料処理装置１０の外部に配置されているＰＣ（パーソナルコンピュータ）に送られる。
【００２３】
搬送部２６は、処理部２２において写真フィルム１６を規定の搬送経路１４で支持する複数の処理部内支持機構７０を有する。図２は、図１のＡ領域に存在する処理部内支持機構７０を示す図であり、図３は、図２においてＢ−Ｂ方向から見た処理部内支持機構７０の断面図である。また、処理部内支持機構７０以外に、図３には、写真フィルム１６の裏面７２（表面１８と対向する面）の幅方向中央部４２と当接するガイド７４、処理液２０−１が塗布された写真フィルム１６を加熱するヒータ７６が示されている。
【００２４】
処理部内支持機構７０は、弾性体からなる表面側ローラ７８Ｌ、７８Ｒが固定され回転中心線８０を有する表面側シャフト８２と、弾性体からなる裏面側ローラ８４Ｌ、８４Ｒが固定され回転中心線８６を有するシャフト８８とを有する。処理部内支持機構７０は、表面側ローラ７８Ｌと裏面側ローラ８４Ｌ（ローラ対９０Ｌ）が写真フィルム１６の幅方向端部の一方９２Ｌ（以下、「幅方向端部９２Ｌ」と称する。）を挟持するとともに、表面側ローラ７８Ｒと裏面側ローラ８４Ｒ（ローラ対９０Ｒ）が幅方向端部の他方９２Ｒ（以下、「幅方向端部９２Ｒ」と称する。）を挟持することによって写真フィルム１６を支持している。支持機構７０が写真フィルム１６を幅方向端部９２Ｌ、９２Ｒで支持するのは、処理液２０が塗布されている写真フィルム１６の幅方向中央部４２に含まれる画像形成領域４０に触れないようにするためである。
【００２５】
裏面側シャフト８８は、軸受け（図示せず）によって回転可能に支持されている。また、裏面側シャフト８８は、ベルト１００を介して回転駆動手段であるモータ１０２に駆動連結されている。これにより、支持機構７０は、写真フィルム１６を挟持しつつ搬送する搬送機構となる。裏面側シャフト８８がベルト１００を介してモータ１０２によって回転駆動されることにより、裏面側ローラ８４Ｌ、８４Ｒが回転し、表面側ローラ７８Ｌ、７８Ｒと協働して挟持している写真フィルム１６を搬送方向１０４に搬送する（図２参照。）。なお、全ての処理部内支持機構７０の裏面側シャフト８８が、回転駆動手段で回転される必要はない。また、表面側シャフト８２が、回転駆動手段で回転されても良い。
【００２６】
また、搬送部２６は、処理部内支持機構以外の支持機構（図示していない支持機構も含む）も有する。処理部内支持機構以外の支持機構は、写真フィルム１６の表面１８と裏面７２両方の幅方向中央部４２に接触することなく、写真フィルム１６の幅方向両端部を挟持して支持するか、または、写真フィルム１６の表面１８または裏面７２の一方の幅方向端部のみと接触して支持する。また、処理部内支持機構以外の支持機構には、上述の処理部内支持機構７０のように、モータなどの回転駆動手段によって回転駆動される支持機構（搬送機構）も含まれる。
【００２７】
支持機構（処理部内支持機構７０やそれ以外の支持機構）は、ローラ対９０Ｌ、９０Ｒ以外の構成で写真フィルム１６の幅方向端部９２Ｌ、９２Ｒを挟持しても良い。例えば、写真フィルム１６の幅方向端部９２Ｌ、９２Ｒの裏面７２の部分と写真フィルム１６の搬送方向１０４に亘って接触するレール状構造体と上述の表面側ローラ７８Ｌ、７８Ｒとによって写真フィルム１６の幅方向端部９２Ｌ、９２Ｒとを挟持してもかまわない。支持機構は、写真フィルム１６の幅方向両端部９２Ｌ、９２Ｒを、後述のガイド７４によって写真フィルム１６が表面１８側に凸に幅方向１１０に湾曲されたときに抜けないように搬送可能に挟持していれば、どのような構成であっても良い。
【００２８】
図４は、図３に示すガイド７４周辺の、処理液２０−１が塗布された写真フィルム１６を点線で示した拡大断面図である。ガイド７４は、写真フィルム１６に向かって凸に幅方向１１０に湾曲するとともに（図３参照。）、写真フィルム１６の長尺方向（搬送方向）１０４（図１参照。）に伸びている湾曲面１１２を有する。湾曲面１１２は、写真フィルム１６の幅方向１１０の略中心と当接する部分１１４（以下、「頂上部１１４」と称する。）が頂上となるように湾曲し、頂上部１１４からローラ対９０Ｌ、９０Ｒ近傍の麓部１１６Ｌ，１１６Ｒに向かって傾斜しており、写真フィルム１６の裏面７２の幅方向中央部４２と接触する。湾曲面１１２を有するガイド７４と支持機構７０が協働することにより、写真フィルム１６をその表面１８側に凸に幅方向１１０に湾曲させる。
【００２９】
ガイド７４の湾曲面１１２の頂上部１１４から麓部１１６Ｌ、１１６Ｒに向う傾斜の勾配は、写真フィルム１６の幅方向１１０の曲げ剛性と処理液の粘性によって決定される。傾斜が高勾配である場合、写真フィルム１６の曲げ剛性によって写真フィルム１６が曲げられた状態から曲げられる前の状態に戻ろうとし、写真フィルム１６の幅方向端部９２Ｌ，９２Ｒが挟持しているローラ対９０Ｌ、９０Ｒの間から抜ける可能性がある。また、高勾配である場合、余分量（写真フィルムから若干量流れ落ちることを予想して多めに写真フィルムに塗布されている、処理反応に必要な量に余分に加味された量）以上の処理液２０−１が写真フィルム１６から流れ落ちる可能性がある。
【００３０】
一方、ガイド７４の湾曲面１１２の頂点部１１４から麓部１１６Ｌ、１１６Ｒに向う傾斜が低勾配である場合、写真フィルム１６上の処理液２０−１が、幅方向１１０に亘って略均一な厚さに幅方向１１０に広がらない可能性がある。したがって、ガイド７４の傾斜は、写真フィルム１６上の粘性を有する処理液２０−１が幅方向１１０に亘って略均一な厚さになるように、また、余分量以上の処理液２０−１が写真フィルム１６から流れ落ちないように、加えて、写真フィルム１６が挟持しているローラ対９０Ｌ、９０Ｒの間から抜けないような勾配に決定される。
【００３１】
また、ガイド７４が写真フィルム１６を表面１８側に凸に幅方向１１０に湾曲させることにより、副次的な効果が生じる。本実施の形態のように、感光材料シートが写真フィルムである場合、処理液が塗布されると画像形成領域の乳剤層が膨潤する。乳剤層が膨潤することによって写真フィルムが搬送方向長さに伸び、搬送方向に撓むことがある。この搬送方向の撓みを、ガイドが写真フィルムを表面側に凸に幅方向に湾曲させることによって防止する。
【００３２】
さらに、ガイド７４は、写真フィルム１６の裏面７２の幅方向中央部４２全体に接触しなくても、写真フィルム１６を表面１８側に凸に幅方向１１０に湾曲させることが可能である。このようなガイド７４’は、図５の断面図に示すように、図４に示すガイド７４の湾曲面１１２に搬送方向１０４に伸びている溝を有することによって構成される。ガイド７４’は、溝１１８が存在しない湾曲面の部分１１２’Ｌ、１１２’Ｒによって写真フィルム１６を表面１８側に凸に幅方向１１０に湾曲させる。ガイドが溝を有する場合、ガイドと写真フィルム１６との間の接触面積が減少し、写真フィルム１６とガイドの間の摩擦抵抗が小さくなり、写真フィルム１６の搬送速度の摩擦抵抗による低下を抑えることができる。
【００３３】
さらに、ガイド７４（７４’）は、処理液２０によって化学的に劣化することがなく、熱伝導性に優れた材料、例えば、テフロンコーティングしたアルミから作製されている。熱伝導性に優れた材料からガイド７４（７４’）が作製される理由は後述する。
【００３４】
ヒータ７６は、ガイド７４（７４’）を介して写真フィルム１６の裏面７２に対向しており、例えば、ガイド７４（７４’）に接触して設けられている。これにより、ガイド７４（７４’）は写真フィルム１６上の処理液２０−１を加熱する手段となる。ヒータ７６が発した熱は、熱伝導性に優れたガイド７４（７４’）を介して、写真フィルム１６に伝わる。
【００３５】
図４に示すガイド７４において、ヒータ７６の熱は、ガイド７４の湾曲面１１２から接触している写真フィルム１６を介して処理液２０−１に伝わり、処理液２０−１の処理反応が促進される。また、図５に示すガイド７４’において、熱は、ガイド７４’の湾曲面の部分１１２’Ｌ、１１２’Ｒから写真フィルム１６を介して処理液２０−１に伝わるとともに、溝１１８に存在する空気を伝わり、写真フィルム１６を介して処理液２０−１に伝わる。溝１１８が存在するガイド７４’は、溝１１８内の空気を介して処理液２０―１に熱を伝えるため、溝が存在しないガイド７４に比べて単位時間あたりに伝わる熱量は少ない。したがって、ガイドは、搬送方向１０４に部分的に溝を有することにより、写真フィルム１６上に搬送方向１０４に亘って塗布された処理液に対して異なる量の熱を伝えることができる。例えば、処理液塗布ユニット５０−１が写真フィルム１６上に塗布した処理液２０−１に対しては、溝１１８を有するガイド７４’によって少量の熱を伝え、処理液塗布ユニット５０−２が写真フィルム１６上に塗布した処理液２０−２に対しては、溝を有しないガイド７４によって大量の熱を伝えても良い。
【００３６】
ガイド７４（７４’）、ヒータ７６は、図１において、処理部２２全般に亘って配置されているが、処理液の粘性や処理反応に必要な熱などの状況に応じて、部分的に配置されても良い。例えば、処理液塗布ユニット５０−１が塗布する処理液２０−１の粘性が低いために、幅方向１１０に表面１８側に凸に写真フィルム１６を湾曲させなくても、処理液２０−１が幅方向１１０に亘って略均一の厚さになる場合、湾曲面を有するガイドは必要がない。また、処理液塗布ユニット５０−２が塗布する処理液２０―２がヒータ７６による熱を必要とせず、十分に処理反応が促進するのであれば（所定の搬送時間で必要な処理反応が終了するのであれば）、ヒータは必要がない。さらに、処理液塗布ユニット５０−３が塗布する処理液２０−３の処理反応が少量の熱で十分である場合、搬送方向１０４に短いヒータを用いればよい。
【００３７】
なお、図２〜図５に示される感光材料処理装置１０の構成要素以外の構成要素、例えば、表面側シャフト８２や裏面側シャフト８８を支持する軸受けを有するブラケットなどは、図面が過度に複雑にならないように省略されている。
【００３８】
加えて、図１に示すように、感光材料処理装置１０は、写真フィルム１６を巻回して収容するフィルムカートリッジ１３０を保持するカートリッジ保持部１３２と、フィルムカートリッジ１３０から写真フィルム１６を切り離す切断機構１３４と、画像読み取り部２４で画像データが取得された後の写真フィルム１６を収容する写真フィルム収容部１３６とを有する。
【００３９】
このような構成によれば、フィルムカートリッジ１３０に巻回収容された写真フィルム１６は、カートリッジ保持部１３２に固定されたフィルムカートリッジ１３０から引き出され、切断機構１３４によってカートリッジ１３０から切り離される。カートリッジ１３０から切り離された写真フィルム１６は、搬送部の支持機構と搬送機構（回転駆動手段によって回転駆動される支持機構）によって搬送経路１４に沿って処理部２２に搬送される。処理部２２において、写真フィルム１６は処理部内支持機構７０に支持されつつ搬送されながら、その表面１８の画像形成領域４０に複数の処理液２０−１〜２０−３が塗布される。このとき、ガイド７４（７４’）が写真フィルム１６を表面１８側に凸に幅方向１１０に湾曲しており、塗布された処理液２０−１〜２０−３が湾曲した写真フィルム１６上に略均一の厚さで存在する。処理部２２で処理された写真フィルム１６は、画像読み取り部２４で画像データを取得される。取得された画像データは、写真フィルム１６の幅方向１１０にムラのない良好な画質を有する。画像データが取得された写真フィルム１６は、写真フィルム収容部１３６に収容される。
【００４０】
本発明の目的は、処理液が塗布され処理を行う処理工程（処理部）において、感光材料シートを処理液が塗布される表面側に凸に幅方向に湾曲させることであり、上述の支持機構とガイド以外の構成方法でも実施可能であるのは明らかである。例えば、図６に示すように、感光材料シート２１６の２つの幅方向端部を搬送可能に挟持して支持する表面側ローラ２７８Ｌと裏面側ローラ２８４Ｌ、表面側ローラ２７８Ｒと裏面側ローラ２８４Ｒから構成される２組のローラ対２９０Ｌ、２９０Ｒと、裏面側ローラ２８４Ｌ、２８４Ｒが固定されている回転中心線２８６を有する裏面側シャフト２００に固定され、曲面である外周端が感光材料シート２１６の裏面２７２の幅方向２１０の略中心に接触しているローラ状ガイド２７４とにより、感光材料シート２１６を表面２１８側に凸に幅方向２１０に湾曲させても良い。
【図面の簡単な説明】
【００４１】
【図１】本発明に係る感光材料処理装置の構成を概略的に示す図である。
【図２】図１のＡ領域を感光材料シート表面上方から見た図である。
【図３】図２のＢ−Ｂ方向断面図である。
【図４】図３に示すガイド周辺の拡大図である。
【図５】変形例のガイド周辺の拡大断面図である。
【図６】別の実施形態の支持機構およびガイドの断面図である。
【図７】従来の処理液が表面に塗布された感光材料シートの断面図である。
【符号の説明】
【００４２】
１０：感光材料処理装置
１６：感光材料シート
１８：表面
２０：処理液
４０：画像形成領域
４２：幅方向中央部
７０：処理部内支持機構
７２：裏面
７４：ガイド
９２Ｌ、９２Ｒ：幅方向端部
１０４：長尺方向（搬送方向）
１１０：幅方向
１１２：湾曲面
【図１】
2006072077.tif 000003
【図２】
2006072077.tif 000004
【図３】
2006072077.tif 000005
【図４】
2006072077.tif 000006
【図５】
2006072077.tif 000007
【図６】
2006072077.tif 000008
【図７】
2006072077.tif 000009